(57)【特許請求の範囲】
【請求項１】
器具本体内に電池ケースを挿着して取付ける電池ケース取付構造において、該電池ケースの挿着方向の一側面と該一側面が対向する器具本体の一側壁面とのいずれか一方に、複数個の係合突起を挿着方向に位置をずらして設けると共に、他方に前記各係合突起が嵌合する複数個の係合孔を設けており、
前記電池ケースの一側面と器具本体の一側壁面とのいずれか一方に段部を設けると共に、他方に該段部が係合する係合部を設け、該段部と係合部との係合を解除可能としたことを特徴とする器具本体への電池ケースの取付構造。
【請求項２】
前記段部が前記電池ケースの一側面と前記器具本体の一側壁面とのいずれか一方に切り込みを施し、この切り込みを膨出させて形成されていることを特徴とする請求項１記載の器具本体への電池ケースの取付構造。
【発明の詳細な説明】
【０００１】
【発明の属する技術分野】
本発明は、ガスこんろ本体等の器具本体に電池ケースを取り付ける電池ケースの取付構造に関する。
【０００２】
【従来の技術】
従来、ビス等を用いることなく、器具本体（こんろ本体）内に電池ケースＡを挿着するだけで簡単に電池ケースＡを取付けるものとして、図８に示すごとく、電池ケースＡの両側に係合突起ｂ、ｂを設けると共に、器具本体に該係合突起ｂ、ｂが係合する係合片ａ、ａを設けたものが知られている。
【０００３】
【発明が解決しようとする課題】
この取り付け方では、係合片ａ、ａ相互の位置がずれないようにすることが求められる。このため従来図９に示すごとく器具本体の前枠Ｃの電池ケース取り付け位置Ｂの両側に係合片ａ、ａを一体に取り付けている。
【０００４】
しかし、このものでは、該係合片ａ、ａと直交する方向（上下方向）の押さえがないため取り付けが不安定となる。
【０００５】
本発明はかかる現状に鑑み電池ケースを安定した状態に取り付け得る取付構造を提供することにある。
【０００６】
【課題を解決するための手段】
本願の請求項１に記載の発明は、器具本体内に電池ケースを挿着して取付ける電池ケース取付構造において、該電池ケースの挿着方向の一側面と該一側面が対向する器具本体の一側壁面とのいずれか一方に、複数個の係合突起を挿着方向に位置をずらして設けると共に、他方に前記各係合突起が嵌合する複数個の係合孔を設けたことで、器具本体内に電池ケースを挿着するとき、係合孔へ係合突起を係合させるだけで、器具本体の一側壁面に確実に取り付けられ、しかも、係合孔とこれに係合する係合突起による一つの面において係止を複数箇所で行わせることで、上下方向に移動することのない安定した状態に取り付けられる。
【０００７】
さらに、電池ケースの一側面と器具本体の一側壁面とのいずれか一方に段部を設けると共に、他方に段部が係合する係合部を設け、段部と係合部との係合を解除可能としたことで、段部と係合部との係合で電池ケースが前方にずれることがなく、しかも、段部と係合部との係合を解けば電池ケースを簡単に取り外すことができて、電池ケースの修理、交換等が簡単にできる。
また請求項２に記載の発明は、上記構成に加え、段部が電池ケースの一側面と器具本体の一側壁面とのいずれか一方に切り込みを施し、切り込みを膨出させて形成されている構成を有している。
【０００８】
【発明の実施の形態】
本発明実施の形態を図に付き説明する。
【０００９】
図面で１は板金製の器具本体を示し、図示するものは、器具本体１として、カウンタＸに設けた透穴にビルトインする式のこんろ本体を示す。
【００１０】
２は該こんろ本体１の上面に設けた天板を示し、該天板２の上面の左右前側と中央後部にこんろ部３が臨み、こんろ本体１の内部中央にグリル部４が臨む。
【００１１】
こんろ本体１の前面左右には、各こんろ部３の点消火操作用ボタン５とグリル部４の点消火用操作ボタン６とを備え、更にガスこんろ本体１の前左側内部に樹脂製の電池ケース７を備える。
【００１２】
こんろ本体１は図７に示すごとく、前面並びに上面を解放したこんろ主枠１ａと、該こんろ主枠１ａの前端部の底面と両側面に沿って取り付けられる補助枠１ｂと、こんろ主枠１ａの前端部の上縁に沿って取り付ける横桟１ｃと、該横桟１ｃの上面に沿って取り付けられる上部飾り板１ｄと、該主枠１ａの中央前面に取り付けられるグリル枠前板１ｅと、該グリル枠前板１ｅの両側に取り付けられる縦柱１ｆ、１ｆと、グリル枠前板１ｅの前面上部に取り付けられるグリル上部飾り板１ｇと、こんろ主枠１ａ並びに上部飾り板１ｄの上面に取り付けられる環状の上部枠１ｊと、該上部枠１ｊの前面に取り付けられる前遮熱板１ｋと、上部枠１ｊの両側に取り付けられる側遮熱板１ｍ、１ｍと、上部枠１ｊの後面に取り付けられるカバー１ｎと、こんろ主枠１ａの両側前面に取り付けられるこんろパネル１ｐ、１ｐからなる。
【００１３】
なお、左側のこんろパネル１ｐには、天板の上面の左と中央に臨むこんろ部３、３の前記点消火操作用ボタン５を取り付け、右側のこんろパネル１ｐには、天板の上面の右に臨むこんろ部３の点消火操作用ボタン５と、グリル部４の点消火用操作ボタン６を取り付けた。
【００１４】
該電池ケース７のガスこんろ本体１への取付けは、ガスこんろ本体１の前面からガスこんろ本体１内に挿入して行う。
【００１５】
これを説明すると、電池ケース７は、前面を解放した電池の収容空間７ａを有する横長に形成し、電池ケース７の底面には該電池ケース７の挿入方向に沿う３本の係合突起８を備え、該係合突起８は電池ケース７の下面から下方に延びる柱部８ａと柱部８ａの下端部から後方に延びて係合孔１０に嵌合する矢羽根状の嵌合部８ｂとからなる。
【００１６】
電池ケース７を取付けるこんろ本体１の底壁、即ち補助枠１ｂの底壁板１ｂー１には、該底壁板１ｂー１から切り起こして形成した３個の切起片９を備え、各切起片９に、前記係合突起８が嵌合する嵌合する係合孔１０を設けた。
【００１７】
係合孔１０は、該係合突起８の嵌合部８ｂが嵌合する断面方形とし、該係合孔１０の上縁が該係合孔１０に係合突起８を押込んだとき、柱部８ａの後面に当接されるようにした。
【００１８】
３個の係合突起８と係合孔１０との係合位置は、その内の少なくとも１個を電池ケース７の挿入方向、即ち、ガスこんろ本体１の前後にずらすことで、電池ケース７が上下方向に移動しない状態に取り付けることができる。
【００１９】
これを説明すると、図示するものでは、補助枠１ｂの底壁板１ｂー１に設けた３個の切起片９の内、中央の切起片９を他の２個の切起片９より後方にずらして設け、これに伴って電池ケース７に設けた係合突起８も、中央の係合突起８を他の２個の係合突起８より後方にずらして設けることで、中央の切起片９の係合孔１０と中央の係合突起８との嵌合位置が、上方からみて３角形の頂点に位置する状態となり、この３点で確実にこんろ本体１に係止させる電池ケース７は、上下方向に移動しない安定した状態に取り付けられる。
【００２０】
しかし、該係合突起８と係合孔１０との嵌合は、必ずしも３個である必要はなく２個であっても、各係合孔１０に係合突起８が密接嵌合する状態であれば、係合突起８と係合孔１０との係合位置を前後にずらすことで、該電池ケース７を上下方向に移動しない安定した状態に取り付けることができる。
【００２１】
底壁板１ｂー１の前端部には、図３並びに図５に示すように、電池ケース７をガスこんろ本体１に取り付けたとき、電池ケース７の下端に設けた係合部１１が係合する段部１２を設けて、電池ケース７をこんろ本体１に挿着するとき、段部１２に該係合部１１を係合させて電池ケース７がこんろ本体１に対し前側に移動しないようにした。
【００２２】
なお、図示するものは、前記係合突起８の前端縁を係合部１１とし、該底壁板１ｂー１の前端部に切込を施し、該切込の前側を上方に膨出させて段部１２を形成した。
【００２３】
かくすることで、電池ケース７は、係合突起８の柱部８ａが前記切起片９に当たることで後側への移動を阻止され、且つ前方への移動は該係合部１１が段部１２に係止されて阻止され、前後方向にも移動することなく安定した状態に取り付けられる。
【００２４】
そして電池ケース７の前端を持ち上げれば、該係合部１１と段部１２との係止を解くことができ、電池ケース７を前方に引きだすことができる。
【００２５】
なお、電池ケース７をこんろ本体１に取り付けた後に、前記左側のこんろパネル１ｐを前記補助枠１ｂと横桟１ｃにビス止する。このとき該パネル１ｐは、図２に示すごとく、その背面を電池ケース７の前端に当接させることで、該こんろパネル１ｐの取り付けは安定する。
【００２６】
なお図２で１３は、こんろパネル１ｐに取り付けた電池ケース７の前面を覆う蓋を示す。
【００２７】
なお、上述の実施の形態では、電池ケース７側に係合突起８を設け、こんろ本体１側に係合孔１０を設けたが、これに限らず、特に図示しないが、電池ケース側に係合孔を設け、こんろ本体側に係合突起を設けても良い。これを説明すると、電池ケースの下面から突出するブロックに前後方向の透孔を設け、こんろ本体に設けた切起片の上端を前方に折り曲げて該透孔と嵌合する係合突起を形成しても良い。
【００２８】
更に、図示するものは、ガスこんろ本体１の底壁板１ｂー１に電池ケース７を取付けるようにしたが、これに限るものでなく、ガスこんろ本体１の側板に電池ケース７を取付けても良い。
【００２９】
なお、１４は電池ケース６の後面から後方に突出した制御ボックス（図示しない）支持用の腕を示す。
【００３０】
なお、上記実施の形態はこんろ本体に適用したものに付き説明したが、器具本体はこれに限るものでなく、本取り付け構造は、電池を使用する器具であれば、これらにも適用できること申すまでもない。
【００３１】
【発明の効果】
本願の請求項１に記載の発明によるときは、器具本体内に電池ケースを挿着して取付ける電池ケース取付構造において、該電池ケースの挿着方向の一側面と該一側面が対向する器具本体の一側壁面とのいずれか一方に、複数個の係合突起を挿着方向に位置をずらして設けると共に、他方に前記各係合突起が嵌合する複数個の係合孔を設けたことで、係合孔へ係合突起を係合させるだけで、器具本体の一側壁面に確実に取り付けられ、しかも、係合孔とこれに係合する係合突起による係止を一つの面において複数箇所で行わせることで、該電池ケースを安定した状態に取り付けられる。
【００３２】
さらに、前記電池ケースの一側面と器具本体の一側壁面とのいずれか一方に段部を設けると共に、他方に該段部が係合する係合部を設け、該段部と係合部との係合を解除可能としたことで、該段部と係合部との係合で電池ケースが前方にずれることがなく、しかも、該段部と係合部との係合を解けば該電池ケースを簡単に取り外すことができて、該電池ケースの修理、交換等が簡単にできる。
【図面の簡単な説明】
【図１】  本発明の実施の態様の一例を示す正面図
【図２】  図１のＡ−Ａ線拡大截断面図
【図３】  器具本体への電池ケースの取り付け状態を示す斜面図
【図４】  電池ケースを底壁板に取り付けた状態の正面図
【図５】  図４のＢ−Ｂ線截断面図
【図６】  図４のＣ−Ｃ線截断面図
【図７】  器具本体（こんろ本体）の分解斜面図
【図８】  従来の器具本体への電池ケースの取り付け手段を示す斜面図
【図９】  図８に示す取り付け手段を用いて電池ケースを取り付けた器具本体の分解斜面図
【符号の説明】
１  器具本体        ７  電池ケース          ８  係合突起
１０  係合孔１０    １１  係合部            １２  段部
【図１】
0003756351.tif 000002
【図２】
0003756351.tif 000003
【図３】
0003756351.tif 000004
【図４】
0003756351.tif 000005
【図５】
0003756351.tif 000006
【図６】
0003756351.tif 000007
【図７】
0003756351.tif 000008
【図８】
0003756351.tif 000009
【図９】
0003756351.tif 000010